(57)【要約】【課題】意匠的に優れ、かつ、操作性が低下することがないマウスを提供する。【解決手段】マウス１は、スクロールボタン等の操作ボタンが配置される操作面１２と、操作面１２に対向する裏面１３とを有するマウス本体２を含む。マウス本体２は、裏面１３に凹部１４が形成される第１領域２１と、第１領域２１に隣接する第２領域２２とを有する。第２領域２２は、ドーム部２３Ａ，２３Ｂ，２３Ｃ，２３Ｄによって構成され、それぞれのドーム部２３Ａ，２３Ｂ，２３Ｃ，２３Ｄが第１領域２１に接するように配置される。第１領域２１の裏面１３には、凹部１４の周囲に二つの第１突起部５が設けられる。凹部１４には、弾性を有する第１弾性体３が配置される。第２領域２２の両端のドーム部２３Ａ，２３Ｄの裏面１３には、第２突起部６が配置される。第２領域２２の中央のドーム部２３Ｂ，２３Ｃの裏面１３には、第２弾性体４が配置される。
2015022918.tif 000002
【特許請求の範囲】
【請求項１】
操作面および前記操作面に対向する裏面を有するマウス本体と、前記裏面から突出する３以上の突起部とを有するマウスであって、
前記マウス本体の前記裏面には、弾性を有する第１弾性体が設けられ、
前記第１弾性体の厚さ方向における先端は、前記突起部の先端よりも前記厚さ方向内側に位置することを特徴とするマウス。
【請求項２】
前記第１弾性体は、前記マウス本体の前記裏面に形成された凹部に設けられることを特徴とする請求項１記載のマウス。
【請求項３】
前記マウス本体は、前記第１弾性体が配置された第１領域と、前記第１領域に隣接する第２領域とを有し、前記第２領域の前記裏面には、弾性を有する第２弾性体が設けられ、
前記第２弾性体の厚さ方向における先端は、前記突起部の前記厚さ方向内側に位置することを特徴とする請求項１または２記載のマウス。
【請求項４】
前記第１弾性体は、前記マウス本体に対して着脱可能に取り付けられることを特徴とする請求項１〜３のいずれかに記載のマウス。
【請求項５】
前記第２領域は、前記裏面から前記操作面に向かって湾曲して突出する複数のドーム部によって構成され、前記ドーム部は前記第１領域にそれぞれ接するように配置されることを特徴とする請求項３記載のマウス。
【発明の詳細な説明】
【技術分野】
【０００１】
この発明は、パソコン等に付随して用いられる入力装置の一つであるマウスであって、意匠的に優れ、かつ、使用者に癒しを与えることができるマウスに関する。
【背景技術】
【０００２】
近年の高度情報化に伴い、社会的ストレスが増大傾向にある。しかし、情報化処理手段の一つであるパソコンに用いられるマウスは無機質なものが多く、従来のマウスではストレスの軽減は期待できない。
一方、アニマルセラピー効果は精神学療法として用いられ、情緒安定を促すことが知られる。広義では、アニマルセラピー効果を発揮するものとして、実際生きた動物とかかわることのほか、動物をモチーフとしたぬいぐるみ等も含まれる。【０００３】
そこで、従来、例えば、猫のイラストが描かれたカバーをマウスの表面にかぶせたり（特許文献１参照）、キャラクターがデザインされたカバーをマウスの表面にかぶせたりして（特許文献２参照）マウスを装飾する方法があった。
【先行技術文献】
【特許文献】
【０００４】
【特許文献１】特開２００６−２９３９６３号公報
【特許文献２】実用新案登録第３０９１７２１号公報
【発明の概要】
【発明が解決しようとする課題】
【０００５】
従来の技術では、使用時において使用者の掌が対向する面に、カバー等の装飾が施されているから、使用者がマウスを操作する際にカバーが邪魔になり、操作性が悪くなるという問題があった。【０００６】
この発明は、意匠的に優れ、かつ、操作性が低下することがないマウスを提供することを課題とする。
【課題を解決するための手段】
【０００７】
この発明は、操作面および前記操作面に対向する裏面を有するマウス本体と、前記裏面から突出する３以上の突起部とを有するマウスであって、前記マウス本体の前記裏面には、弾性を有する第１弾性体が設けられ、前記第１弾性体の厚さ方向における先端は、前記突起部の先端よりも前記厚さ方向内側に位置することを特徴とする。【０００８】
前記第１弾性体は、前記マウス本体の前記裏面に形成された凹部に設けられることを特徴とするものであってもよい。【０００９】
前記マウス本体は、前記第１弾性体が配置された第１領域と、前記第１領域に隣接する第２領域とを有し、前記第２領域の前記裏面には、弾性を有する第２弾性体が設けられ、前記第２弾性体の厚さ方向における先端は、前記突起部の前記厚さ方向内側に位置することを特徴とするものであってもよい。【００１０】
前記第１弾性体は、前記マウス本体に対して着脱可能に取り付けられることを特徴とするものであってもよい。【００１１】
前記第２領域は、前記裏面から前記操作面に向かって湾曲して突出する複数のドーム部によって構成され、前記ドーム部は前記第１領域にそれぞれ接するように配置されることを特徴とするものであってもよい。
【発明の効果】
【００１２】
この発明に係るマウスの実施形態によれば、マウスの裏面に弾性体を設けて、装飾を施すこととしたので、操作面における操作性が低下することがない。
【図面の簡単な説明】
【００１３】
【図１】この発明の実施形態に係るマウスの使用状態の斜視図。
【図２】マウスの裏面から見た図。
【図３】マウスの側面図。
【図４】図２のＩＶ−ＩＶ線断面図。
【発明を実施するための形態】
【００１４】
図１〜４を参照すると、マウス１は、操作者の掌に対向する操作面１２と、操作面１２に対向する裏面１３とを有するマウス本体２を含む。マウス本体２は、第１領域２１と、第１領域２１に隣接する第２領域２２とを有する。第１領域２１は、裏面１３から操作面１２へと湾曲して突出し、略半球形である。第１領域２１の裏面１３には、凹部１４が形成される。第２領域２２は、ドーム部２３Ａ，２３Ｂ，２３Ｃ，２３Ｄによって構成され、それぞれのドーム部２３Ａ，２３Ｂ，２３Ｃ，２３Ｄが第１領域２１にそれぞれ一部が接して配置される。この実施形態においてドーム部は４つ設けられるとともに、裏面１３から操作面１２へと湾曲して突出し、略半球形である。ドーム部２３Ａ，２３Ｂ，２３Ｃ，２３Ｄは、第１領域２１を構成する半球形よりも小さく、隣り合うドーム部は互いに接触する。マウス本体２の操作面１２には、スクロールボタン等の操作ボタンを配置することができる。
【００１５】
第１領域２１はその裏面１３の面積が、第２領域２２の裏面１３の面積よりも大きく、マウス１の操作時において、操作者の掌が主に第１領域２１に載るようにして、マウス１を使用することができる。また、第２領域２２の操作面１２をクリック可能部分にすることもできるし、スクロールボタン等を配置することもできる。
【００１６】
第１領域２１の裏面１３には、凹部１４の周囲に二つの第１突起部５が設けられる。第１突起部５は、例えば高剛性樹脂など比較的硬度の高いものを用いる。すなわち、マウス１の通常の操作時において、第１突起部５が大きく変形しない程度の硬度を有する材料を用いることが望ましい。
【００１７】
凹部１４には、弾性を有する第１弾性体３が配置される。第１弾性体３は、少なくとも第１突起部５および後述する第２突起部６よりも柔らかく、指でつまんだ時に弾性変形することが望ましい。具体的に、第１弾性体３として、天然ゴムやシリコーンゴム、フッ素ゴム、ウレタンゴム等の合成樹脂を用いることができる。第１弾性体３は、硬度Ａ１〜Ａ４０、好ましくはＡ１〜Ａ２０、より好ましくはＡ１〜Ａ１０である。硬度は、ＪＩＳ  Ｋ  ６２５３に準拠して計測される。
【００１８】
第１弾性体３は、マウス本体２に対して着脱可能に取り付けられる。特に図４を参照すれば、凹部１４には、取付穴１５が設けられ、この取付穴１５に第１弾性体３に形成された凸部３２を挿入することによって互いに連結されるようにしている。したがって、第１弾性体３は容易にマウス本体２から取り外すことができる。この実施形態において、取付穴１５および凸部３２は、それぞれ二つ設けるが、これに限ったものではない。
【００１９】
第２領域２２の両端のドーム部２３Ａ，２３Ｄの裏面１３には、第２突起部６が配置される。第２突起部６の硬度は第１突起部５の硬度とほぼ等しく、マウス１の操作時において大きく変形したりすることがない。第２突起部６は第１突起部５よりもその表面積が大きい。
【００２０】
第２領域２２の中央のドーム部２３Ｂ，２３Ｃの裏面１３には、第２弾性体４が配置される。具体的に、第１弾性体３として天然ゴムやシリコーンゴム、フッ素ゴム、ウレタンゴム等の合成樹脂を用いることができる。第１弾性体３は、硬度Ａ１〜Ａ４０、好ましくはＡ１〜Ａ２０、より好ましくはＡ１〜Ａ１０である。硬度は、ＪＩＳ  Ｋ  ６２５３に準拠して計測される。第２弾性体４は、少なくとも第１突起部５および第２突起部６よりも柔らかく、指でつまんだ時に弾性変形することが望ましい。第２弾性体４と第２突起部６とは、ほぼ同じ大きさにすることが好ましい。
【００２１】
上記のような構成において、特に図３を参照すれば、第１弾性体３の厚さ方向（図３における上下方向）における先端３１は、第１突起部５の厚さ方向における先端５１および第２突起部６の先端６１よりも内側に位置する。すなわち、裏面１３から第１弾性体３の先端３１までの厚さ方向における寸法Ｄ１は、裏面１３から第１突起部５の先端５１までの寸法Ｄ２および裏面１３から第２突起部６の先端６１までの寸法Ｄ３よりも小さい。また、寸法Ｄ２と寸法Ｄ３はほぼ等しい。したがって、マウス１の操作時において、第１突起部５および第２突起部６は、その先端５１，６１がそれぞれ机等に接触し、机と第１弾性体３の先端３１とには空隙が形成される。すなわち、第１弾性体３が机に接触することがないので、マウス１の操作時において、第１弾性体３が操作性を妨げることがない。また、操作時において第１弾性体３が机との摩擦によって劣化するのを予防することができる。
【００２２】
第２弾性体４の厚さ方向における先端４１は、第１突起部５および第２突起部６の先端５１，６１よりも内側に位置する。すなわち、裏面１３から第２弾性体４の先端４１までの厚さ方向における寸法Ｄ４は、第１突起部５における寸法Ｄ２および第２突起部６における寸法Ｄ３よりも小さい。したがって、マウス１の操作時において、第２弾性体４が机等に接触することがなく、その操作性を妨げることがない。また、操作時において第２弾性体４が机との摩擦によって劣化するのを予防することができる。なお、第１弾性体３における寸法Ｄ１と第２弾性体４における寸法Ｄ４とはほぼ等しい。
【００２３】
上記のようなマウス１は、第１領域２１および第２領域２２によって構成されるとともに、第２領域２２を複数のドーム部２３Ａ，２３Ｂ，２３Ｃ，２４Ｄとによって構成することとしたので、操作面１２における外観をネコ科の足を模した形状に見せることができる。したがって、意匠的に優れたデザインとすることができ、特にペット愛好家にとっては癒しを与えることができる。
【００２４】
また、面積の大きな第１領域２１に掌を置き、第２領域２２にスクロールボタン等を配置することによって、マウス１の機能を損なうことがなく、操作性を維持することができる。また、第２領域２２にスクロールボタン等を配置することによって、美観性を損なうこともない。さらに、第１領域２１および第２領域２２のいずれも略半円形であるので、掌にフィットしやすく使いやすい。
【００２５】
裏面１３に第１弾性体３を設けることによって、これがあたかもネコ科の肉球の一つである掌球であるかのような印象を与えることができる。第１弾性体３は、指でつまんだ時に弾性的に変形するので、ペットの肉球を触っているかのような感覚を得ることができ、高い癒し効果を得ることができる。また、第２弾性体４は、ネコ科の肉球の一つである指球であるかのような印象を与えることができ、この第２弾性体４によっても高い癒し効果を得ることができる。
【００２６】
第１弾性体３および第２弾性体４を着脱可能にすることによって、これらが汚れたときには取り替えることもできるし、使用者の好みの固さ、色のものに取り換えることもできる。この実施形態において、第１弾性体３に設けた凸部３２と凹部１４に設けた取付穴１５とによって着脱可能としているが、これに限ったものではない。例えば、第１弾性体３を台座に取り付け、台座を凹部１４に着脱可能に取り付けるようにしてもよい。また、第２弾性体４もマウス本体２に対して着脱可能に取り付けることもできる。
【００２７】
マウス１の裏面１３に凹部１４を設けることとしたので、第１弾性体３を大きくしてもその先端３１が机等に接触するのを防ぐことができる。また、一対の第１突起部５および一対の第２突起部６によって、マウス１を支持するので安定してマウス１を支えることができ、マウス１の操作性を維持することができる。ただし、凹部１４は必須の構成ではなく、これがないものであってもよい。その場合であっても、第１弾性体３が机等に接触しない構成にすることが望ましい。
【００２８】
この実施形態において、突起部は第１突起部および第２突起部を合わせて４つ設けられるが、３つ以上であればよい。また、ドーム部は４つ設けられるが、これに限ったものではなく、２以上の複数であればいくつであってもよい。ドーム部にはスクロールボタンのほか、種々の操作ボタンを設けることができる。また、操作ボタンは、第１領域２１に設けられるものであってもよい。さらに、第１領域２１および第２領域２２には、操作ボタンの代わりにタッチセンサを設け、種々の操作を可能としてもよい。
【００２９】
この実施形態では、マウス１をネコ科の足を模したデザインとしているが、アニマルセラピー効果を得るものであれば、これに限ったものではなく、例えば、イヌ科等の動物を模したデザインとすることもできる。
【００３０】
マウス１を構成する各構成部材には、本明細書に記載されている材料のほかに、この種の分野において通常用いられている、各種の公知の材料を制限なく用いることができる。
本発明の明細書および特許請求の範囲において、用語「第１」および「第２」は、同称の要素、位置等を単に区別するために用いられている。
【符号の説明】
【００３１】
１    マウス
２    マウス本体
３    第１弾性体
４    第２弾性体
５    第１突起部（突起部）
６    第２突起部（突起部）
１２    操作面
１３    裏面
１４    凹部
２１    第１領域
２２    第２領域
２３Ａ  ドーム部
２３Ｂ  ドーム部
２３Ｃ  ドーム部
２３Ｄ  ドーム部
３１    先端
４１    先端
５１    先端
６１    先端
【図１】
2015022918.tif 000003
【図２】
2015022918.tif 000004
【図３】
2015022918.tif 000005
【図４】
2015022918.tif 000006
【国際調査報告】
2015022918.tif 000007
2015022918.tif 000008